(57)【特許請求の範囲】
【請求項１】
互いに所定間隔離間して配置される第１および第２ローラ対により、シート状記録媒体を副走査方向に搬送する副走査搬送手段と、
走査光を前記シート状記録媒体に対し前記副走査方向に略直交する方向に照射して主走査する走査光照射手段と、
前記走査光の照射位置近傍で前記シート状記録媒体の一方の面を保持する固定型ガイド手段と、
前記シート状記録媒体の他方の面側に、かつ前記走査光の照射位置より上流側および下流側に対応して配置され、該シート状記録媒体に対し進退可能な第１および第２可動型ガイド手段と、
を備え、
前記第１可動型ガイド手段が前記第１ローラ対間に配置され、前記第２可動型ガイド手段が前記第２ローラ対間に配置され、
前記固定型ガイド手段には、前記第１および第２ローラ対に対応する位置に該第１および第２ローラ対を前記シート状記録媒体に当接させるための開口部が形成され、
前記第１可動型ガイド手段には、前記第１ローラ対に対応する位置に該第１ローラ対を前記シート状記録媒体に当接させるための開口部が形成され、
前記第２可動型ガイド手段には、前記第２ローラ対に対応する位置に該第２ローラ対を前記シート状記録媒体に当接させるための開口部が形成されていることを特徴とするシート状記録媒体の走査装置。
【請求項２】
請求項１記載の装置において、
前記第１および第２可動型ガイド手段は、互いに個別に進退駆動可能であることを特徴とするシート状記録媒体の走査装置。
【請求項３】
請求項１または２記載の装置において、前記第１および第２可動型ガイド手段は、前記シート状記録媒体に対して前記走査光の照射側に配置されるとともに、
少なくとも前記シート状記録媒体に接する表面に緩衝材を設けることを特徴とするシート状記録媒体の走査装置。
【請求項４】
請求項１乃至３のいずれか１項に記載の装置において、前記第１および第２可動型ガイド手段は、アクチュエータの作用下に揺動可能な揺動板を備えることを特徴とするシート状記録媒体の走査装置。
【請求項５】
請求項１乃至４のいずれか１項に記載の装置において、前記副走査搬送手段は、前記シート状記録媒体を鉛直方向に副走査搬送することを特徴とするシート状記録媒体の走査装置。
【発明の詳細な説明】
【０００１】
【発明の属する技術分野】
本発明は、シート状記録媒体、例えば、蓄積性蛍光体シートに坦持された被写体の放射線画像情報を読み取るためのシート状記録媒体の走査装置に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、取り扱いの容易性等から、通常、シート状である蓄積性蛍光体シート（シート状記録媒体）として使用されている。
【０００４】
上記システムでは、例えば、蓄積性蛍光体シートに被写体の放射線画像情報を一旦記録する撮影部と、前記放射線画像情報が記録された前記蓄積性蛍光体シートに励起光を照射して前記放射線画像情報を光電的に読み取る読み取り部と、読み取り後に前記蓄積性蛍光体シートに残存する放射線画像情報を消去する消去部とを一体的に組み込み、該蓄積性蛍光体シートを装置内で循環または往復させる、所謂、ビルトイン方式の画像情報読取装置や、予め放射線画像情報が記録された蓄積性蛍光体シートが収容されたカセッテを装填するカセッテ装填部と、前記カセッテから取り出された前記蓄積性蛍光体シートに担持された放射線画像情報を読み取る読み取り部と、前記蓄積性蛍光体シートに残存する放射線画像情報を消去する消去部とを組み込む画像情報読取装置等が採用されている。
【０００５】
この種の画像情報読取装置を構成する読み取り部は、図９に示すように、蓄積性蛍光体シートＳを副走査方向（矢印Ａ方向）に搬送する副走査搬送系１と、副走査方向に搬送されている前記蓄積性蛍光体シートＳに主走査方向（副走査方向に略直交する方向）にレーザ光Ｌを照射する光学系２と、このレーザ光Ｌの照射によって前記蓄積性蛍光体シートＳから生ずる輝尽発光光を光電的に読み取る集光系３とを有している。副走査搬送系１は、通常、互いに所定間隔離間して配置される第１および第２ローラ対４、５を備えており、この第１および第２ローラ対４、５は、それぞれ矢印方向に進退自在なニップローラ４ａ、５ａを有している。
【０００６】
【発明が解決しようとする課題】
ところで、上記の副走査搬送系１では、蓄積性蛍光体シートＳの先端部が、まず、ローラ対４の駆動作用下に矢印Ａ方向に副走査搬送される一方、光学系２から照射されるレーザ光Ｌが前記蓄積性蛍光体シートＳに主走査方向に照射されている。そして、蓄積性蛍光体シートＳの先端部がローラ対５に近接する際には、ニップローラ５ａが進退変位して前記蓄積性蛍光体シートＳの先端部が前記ローラ対５により緩やかに挟持されるように構成されている。
【０００７】
しかしながら、蓄積性蛍光体シートＳの先端Ｓａにカールが生じていると、この先端Ｓａがローラ対５間に円滑に進入することができず、前記蓄積性蛍光体シートＳに担持された放射線画像情報の読み取り作業が効率的に遂行されないおそれがある。
【０００８】
また、画像情報読取装置全体の小型化を図るために、蓄積性蛍光体シートＳを鉛直方向に副走査搬送する構成が考えられるが、その際、特に前記蓄積性蛍光体シートＳ自体のばたつきに起因する画像ムラが発生し易いという問題がある。
【０００９】
本発明はこの種の問題を解決するものであり、簡単な構成でシート状記録媒体を副走査方向に確実に搬送することができ、画像走査作業を高精度かつ効率的に遂行可能なシート状記録媒体の走査装置を提供することを目的とする。
【００１０】
【課題を解決するための手段】
本発明に係るシート状記録媒体の走査装置では、副走査搬送手段を介して副走査方向に搬送されるシート状記録媒体が、固定型ガイド手段と第１および第２可動型ガイド手段とにより両面を保持されている。このため、シート状記録媒体にカールやばたつきが生ずることを確実に阻止することができ、画像ムラのない高精度かつ効率的な画像走査作業が遂行可能になる。
【００１１】
さらに、副走査方向下流側に配置されている第２可動型ガイド手段を待避させておき、シート状記録媒体がこの第２可動型ガイド手段と固定型ガイド手段との間に挿入される際、該第２可動型ガイド手段をゆっくりと変位させる。これにより、シート状記録媒体が第２可動型ガイド手段と固定型ガイド手段との間に挿入される際の衝撃を有効に回避することができる。
【００１２】
一方、副走査方向上流側に配置されている第１可動型ガイド手段からシート状記録媒体の後端側が離脱する際に、この第１可動型ガイド手段をゆっくりと待避させる。このため、シート状記録媒体には、第１可動型ガイド手段から離脱する際の衝撃が付与されることがない。これにより、第１および第２可動型ガイド手段を介してシート状記録媒体に衝撃が付与されることがなく、画像ムラの発生を可及的に阻止することが可能になる。
【００１３】
また、副走査搬送手段は、互いに所定間隔離間して配置される第１および第２ローラ対を備え、第１および第２可動型ガイド手段が前記第１および第２ローラ対間に配置されている。従って、シート状記録媒体は、上流側の第１ローラ対から第１可動型ガイド手段を介して両面側が規制された状態で副走査方向に搬送され、その先端側が第２可動型ガイド手段を介して第２ローラ対に確実に挟持される。このため、副走査搬送されるシート状記録媒体にカールやばたつきが発生することを有効に阻止し、高精度かつ効率的な画像走査作業が遂行される。
【００１４】
さらにまた、第１および第２可動型ガイド手段は、シート状記録媒体に対して照射光の照射側に配置されるとともに、前記シート状記録媒体に接触する表面に緩衝材を設けている。これにより、シート状記録媒体の走査面側に損傷や汚れ等が発生することがなく、前記シート状記録媒体の耐久性を有効に確保するとともに、走査画像に不良が発生することがない。ここで、第１および第２可動型ガイド手段は、アクチュエータの作用下に揺動可能な揺動板を備えており、前記第１および第２可動型ガイド手段自体の構造が有効に簡素化される。
【００１５】
さらに、副走査搬送手段は、シート状記録媒体を鉛直方向に副走査搬送する。
従って、特に、シート状記録媒体が鉛直方向に副走査搬送される際にばたつくことがなく、このシート状記録媒体のばたつきに起因する画像ムラの発生を確実に阻止し、画像走査作業が高精度かつ効率的に遂行可能になるとともに、走査装置全体の小型化が確実に図られる。
【００１６】
【発明の実施の形態】
図１は、本発明の第１の実施形態に係るシート状記録媒体の走査装置が組み込まれる画像情報読取装置１０の内部構成説明図である。
【００１７】
画像情報読取装置１０を構成する装置本体１２内には、予め被写体の放射線画像情報が一旦記録された蓄積性蛍光体シート（シート状記録媒体）Ｓが収容されたカセッテ１４を装填するカセッテ装填部１６と、前記放射線画像情報が記録された前記蓄積性蛍光体シートＳに励起光であるレーザ光Ｌを照射して前記放射線画像情報を光電的に読み取る読み取り部（走査装置）１８と、読み取り後に前記蓄積性蛍光体シートＳに残存する放射線画像情報を消去する消去部２０とが組み込まれる。
【００１８】
カセッテ１４は、蓄積性蛍光体シートＳを収容する筐体２２と、前記蓄積性蛍光体シートＳの取り出し動作および挿入動作を行うために、前記筐体２２の端部に開閉可能に装着される蓋体２４とを備える。カセッテ装填部１６は、カセッテ１４を鉛直姿勢で挿入するとともに、蓋体２４を開閉する図示しない蓋体開閉手段と、蓄積性蛍光体シートＳを吸着保持して前記カセッテ１４から取り出すとともに、読み取りおよび消去後の前記蓄積性蛍光体シートＳを前記カセッテ１４に送り込む吸着盤２６を有した枚葉手段２８とを設ける。
【００１９】
枚葉手段２８の下方には、蓄積性蛍光体シートＳを挟持して上下方向に搬送する搬送部３０が設けられており、この搬送部３０を構成する搬送ローラ３２に近接して消去部２０が配置される。消去部２０は、水平方向に延在する複数の消去用光源３４を備えている。なお、消去用光源３４は、１本で構成してもよく、また、鉛直方向に延在して配置してもよい。
【００２０】
読み取り部１８は、蓄積性蛍光体シートＳを鉛直下方向（矢印Ｘ方向）に副走査搬送する副走査搬送手段３６と、副走査搬送されている前記蓄積性蛍光体シートＳに対し走査光としてレーザ光Ｌを略水平方向（矢印Ｙ方向）に照射して主走査するレーザ光照射手段３８と、前記蓄積性蛍光体シートＳから発せられる輝尽発光光を集光し、前記蓄積性蛍光体シートＳに担持されている放射線画像情報を光電的に読み取る読み取り手段４０と、前記レーザ光Ｌの照射位置近傍で、前記蓄積性蛍光体シートＳの一方の面（照射側とは反対側の面）を保持する固定型ガイド手段４２と、前記蓄積性蛍光体シートＳの他方の面（照射側の面）にかつ前記レーザ光Ｌの照射位置より上流側および下流側に対応して配置され、該蓄積性蛍光体シートＳに対して進退可能な第１および第２可動型ガイド手段４４、４６とを備える。
【００２１】
レーザ光照射手段３８は、レーザ光Ｌを一旦鉛直下方向に導出した後、略水平方向に屈曲させてこのレーザ光Ｌを蓄積性蛍光体シートＳに照射するための光学系４８を設けている。蓄積性蛍光体シートＳのレーザ光Ｌの照射位置近傍には、このレーザ光Ｌの照射によって前記蓄積性蛍光体シートＳから発せられる輝尽発光光を集光する集光ガイド５０および反射ミラー５２が配置されている。この集光ガイド５０には、フォトマルチプライヤ５４が接続されて読み取り手段４０が構成されている。
【００２２】
副走査搬送手段３６は、図２に示すように、鉛直方向（矢印Ｘ方向）に互いに所定間隔離間して配置されている第１および第２ローラ対５６、５８を備える。第１および第２ローラ対５６、５８は、モータ６０に連結されるベルト・プーリ手段等の伝動手段（図示せず）を介して同期的に回転駆動される駆動ローラ５６ａ、５８ａと、前記駆動ローラ５６ａ、５８ａに対して進退自在なニップローラ５６ｂ、５８ｂとを備える。
【００２３】
図２および図３に示すように、固定型ガイド手段４２は、第１および第２ローラ対５６、５８の上流側から下流側にわたって矢印Ｘ方向に延在するガイド板６２を備える。このガイド板６２には、駆動ローラ５６ａ、５８ａの各ローラ面５７ａ、５７ｂに対応して複数の開口部６４、６６が形成される。
【００２４】
第１および第２可動型ガイド手段４４、４６は、第１および第２ローラ対５６、５８間に配置されており、前記第１可動型ガイド手段４４は、図３に示すように、アクチュエータ、例えば、サーボモータ６８を介して揺動可能な揺動板７０を備える。サーボモータ６８の駆動軸６８ａには、ベルト・プーリ手段７２を介して回転軸７４の一端が連結されるとともに、この回転軸７４に揺動板７０の端部が固着される。揺動板７０は、ニップローラ５６ｂの軸方向に長尺に構成されており、前記ニップローラ５６ｂの各ローラ面７５に対応して複数の開口部７６を設けている。
【００２５】
揺動板７０の蓄積性蛍光体シートＳに接触する表面には、緩衝材７８が設けられている。この緩衝材７８は、不織布やポリエステル製織布等により構成されている。なお、第２可動型ガイド手段４６は第１可動型ガイド手段４４と同様に構成されており、この第１可動型ガイド手段４４と同一の構成要素には同一の参照符号を付して、その詳細な説明は省略する。
【００２６】
このように構成される画像情報読取装置１０の動作について、以下に説明する。
【００２７】
まず、装置本体１２の上部に設けられているカセッテ装填部１６にカセッテ１４が上下方向に指向して装着される。このカセッテ１４内には、予め図示しない被写体の放射線画像情報が記録された蓄積性蛍光体シートＳを収容しており、前記カセッテ装填部１６に設けられた図示しない蓋体開閉手段の作用下に、蓋体２４が開放される。
【００２８】
次いで、枚葉手段２８を構成する吸着盤２６が筐体２２内に進入し、蓄積性蛍光体シートＳを吸着保持してこの蓄積性蛍光体シートＳを前記筐体２２から取り出す。この蓄積性蛍光体シートＳの先端が搬送部３０を構成する搬送ローラ３２に挟持されると、この搬送ローラ３２の回転作用下に前記蓄積性蛍光体シートＳが消去部２０を通過して読み取り部１８を構成する副走査搬送手段３６に送られる。
【００２９】
読み取り部１８では、第１および第２可動型ガイド手段４４、４６を構成する各揺動板７０が固定型ガイド手段４２から離間する方向に配置されており、副走査搬送手段３６を構成するモータ６０の駆動作用下に、駆動ローラ５６ａ、５８ａが回転駆動されている。このため、蓄積性蛍光体シートＳは、まず、第１ローラ対５６を構成する駆動ローラ５６ａとニップローラ５６ｂとに挟持されて、矢印Ｘ方向（鉛直下方向）に副走査搬送される。
【００３０】
その際、図３に示すように、第１可動型ガイド手段４４を構成するサーボモータ６８が駆動され、ベルト・プーリ手段７２を介して回転軸７４が所定の角度だけ回転する。従って、回転軸７４に固着された揺動板７０が固定型ガイド手段４２側に揺動し、前記固定型ガイド手段４２を構成するガイド板６２が前記揺動板７０との間で蓄積性蛍光体シートＳが保持される。
【００３１】
蓄積性蛍光体シートＳは、第１ローラ対５６と固定型ガイド手段４２および第１可動型ガイド手段４４とを介して矢印Ｘ方向に副走査搬送される一方、レーザ光照射手段３８からレーザ光Ｌが導出される。このレーザ光Ｌは、一旦鉛直下方向に進んだ後、光学系４８を介して略水平方向（矢印Ｙ方向）に指向し、蓄積性蛍光体シートＳの撮影面に照射されて主走査が行われる（図４参照）。レーザ光Ｌの照射により蓄積性蛍光体シートＳの撮影面から輝尽発光光が生じ、この輝尽発光光が直接または反射ミラー５２から集光ガイド５０を介してフォトマルチプライヤ５４により光電的に読み取られる。
【００３２】
蓄積性蛍光体シートＳの先端が、固定型ガイド手段４２と第２可動型ガイド手段４６との間に挿入されると、この第２可動型ガイド手段４６を構成するサーボモータ６８が駆動され、ベルト・プーリ手段７２を介して揺動板７０が前記蓄積性蛍光体シートＳ側に比較的低速度で揺動し、該蓄積性蛍光体シートＳの撮影面側を保持する（図５参照）。さらに、蓄積性蛍光体シートＳの先端が第２ローラ対５８間に挿入されると、ニップローラ５８ｂが駆動ローラ５８ａ側に比較的低速度で近接し、前記第２ローラ対５８を介して前記蓄積性蛍光体シートＳが矢印Ｘ方向に副走査搬送される。
【００３３】
蓄積性蛍光体シートＳは、第１および第２ローラ対５６、５８を介して副走査搬送され、その後端が前記第１ローラ対５６から離脱する際には、ニップローラ５６ｂが駆動ローラ５６ａから離間するとともに、図６に示すように、第１可動型ガイド手段４４を構成する揺動板７０がガイド板６２から離間する方向にゆっくりと移動する。
【００３４】
この場合、第１の実施形態に係る読み取り部１８では、第１および第２ローラ対５６、５８の間に第１および第２可動型ガイド手段４４、４６が配置されており、矢印Ｘ方向に副走査搬送される蓄積性蛍光体シートＳの両面が、固定型ガイド手段４２と第１および第２可動型ガイド手段４４、４６とにより全幅にわたって保持されている。これにより、鉛直下方向に副走査搬送される蓄積性蛍光体シートＳにばたつきが発生することを確実に阻止し、この蓄積性蛍光体シートＳに担持されている放射線画像情報の読み取り作業が高精度かつ確実に遂行されるという効果が得られる。
【００３５】
しかも、第２可動型ガイド手段４６は、予め固定型ガイド手段４２から離間しており、蓄積性蛍光体シートＳの先端が、この第２可動型ガイド手段４６に対応して搬送される際に、揺動板７０がガイド板６２側にゆっくりと揺動されてこの蓄積性蛍光体シートＳの先端が保持される。一方、蓄積性蛍光体シートＳの後端が第１可動型ガイド手段４４と固定型ガイド手段４２との間から離脱する際には、この第１可動型ガイド手段４４を構成する揺動板７０がガイド板６２から離間する方向にゆっくりと移動している。
【００３６】
これにより、蓄積性蛍光体シートＳが第１および第２可動型ガイド手段４４、４６に対して進入動作および離脱動作を行う際に、前記蓄積性蛍光体シートＳに衝撃が付与されることがなく、前記進入動作および離脱動作が円滑に遂行される。このため、蓄積性蛍光体シートＳを高精度に副走査搬送することができ、この蓄積性蛍光体シートＳに担持されている放射線画像情報の読み取り時に画像ムラが発生することがなく、読み取り作業が高精度かつ効率的に遂行されるという利点がある。特に、蓄積性蛍光体シートＳの撮影面全面にわたって放射線画像情報が担持されている際にも、読み取り作業が確実に遂行される。
【００３７】
また、第１および第２可動型ガイド手段４４、４６を構成する揺動板７０には、緩衝材７８が設けられており、蓄積性蛍光体シートＳの撮影面側に損傷等を与えることがない。さらにまた、蓄積性蛍光体シートＳを鉛直方向に副走査搬送することが可能になり、画像情報読取装置１０全体の設置面積が大幅に削減され、設備の配置スペースを効率的に活用することが可能になる。
【００３８】
ところで、放射線画像情報の読み取りが終了した蓄積性蛍光体シートＳは、副走査搬送手段３６が逆方向に駆動されることによって鉛直上方向に搬送されて消去部２０に送られる。この消去部２０では、消去用光源３４が付勢されており、蓄積性蛍光体シートＳに残存する放射線画像情報の消去が行われる。消去後の蓄積性蛍光体シートＳは、枚葉手段２８を構成する吸着盤２６に吸着されてカセッテ１４を構成する筐体２２内に送り込まれる。そして、蓋体２４が閉じられるとともに、カセッテ１４がカセッテ装填部１６から取り出される。
【００３９】
図７は、本発明の第２の実施形態に係る読み取り部９０の概略構成を示す斜視図である。なお、第１の実施形態に係る読み取り部１８と同一の構成要素には同一の参照符号を付して、その詳細な説明は省略する。
【００４０】
この読み取り部９０を構成する第１および第２可動型ガイド手段９２、９４は、それぞれ回転軸７４に一端が固着される複数枚の揺動板９６を備える。揺動板９６は、各ニップローラ５６ｂ、５８ｂを構成するローラ面７５間に対応して配置されており、ガイド板６２に対して揺動可能に構成されている。
【００４１】
このように構成される第２の実施形態に係る読み取り部９０では、第１の実施形態と同様に、第１および第２可動型ガイド手段９２、９４を構成する複数枚の揺動板９６が、副走査搬送される蓄積性蛍光体シートＳの一面を保持するとともに、この蓄積性蛍光体シートＳの他面がガイド板６２に保持されている。このため、蓄積性蛍光体シートＳが垂直方向に搬送される際に、ばたつきを発生することを確実に阻止することが可能になる。
【００４２】
しかも、蓄積性蛍光体シートＳの挿入時および離脱時には、揺動板９６をゆっくりと揺動させることにより、この蓄積性蛍光体シートＳに衝撃を惹起させることがない。これにより、読み取り作業が高精度かつ効率的に遂行される等、第１の実施形態と同様の効果が得られる。
【００４３】
図８は、本発明の第３実施形態に係る読み取り部１００の概略構成説明図である。なお、第１の実施形態に係る読み取り部１８と同一の構成要素には同一の参照符号を付して、その詳細な説明は省略する。
【００４４】
この読み取り部１００は、蓄積性蛍光体シートＳを水平方向（矢印Ａ方向）に副走査搬送する副走査搬送手段１０２を備え、この副走査搬送手段１０２を構成する第１および第２ローラ対５６、５８の間に第１および第２可動型ガイド手段４４、４６が設けられている。
【００４５】
このように構成される第３の実施形態に係る読み取り部１００では、副走査搬送手段１０２を介して蓄積性蛍光体シートＳが水平方向に副走査搬送される際、固定型ガイド手段４２と第１および第２可動型ガイド手段４４、４６とで前記蓄積性蛍光体シートＳの上下両面が保持されている。
【００４６】
これにより、蓄積性蛍光体シートＳにカールが発生している際にも、この蓄積性蛍光体シートＳを水平姿勢に確実に保持することができ、第１および第２ローラ対５６、５８の駆動作用下に高精度な副走査搬送が遂行可能になる。従って、第３の実施形態では、蓄積性蛍光体シートＳに担持されている放射線画像情報の読み取り作業が高精度かつ効率的に遂行される等、第１および第２の実施形態と同様の効果が得られる。
【００４７】
なお、第１乃至第３の実施形態では、シート状記録媒体として蓄積性蛍光体シートＳを用いて説明したが、これに限定されるものではなく、この蓄積性蛍光体シートＳに代替して、例えば、画像が記録された写真フイルムを用いることができる。
【００４８】
【発明の効果】
本発明に係るシート状記録媒体の走査装置では、走査光の照射位置近傍でシート状記録媒体の一方の面が固定型ガイド手段で保持されるとともに、このシート状記録媒体の他方の面が第１および第２可動型ガイド手段により保持されており、該シート状記録媒体のばたつきやカールを確実に阻止することができる。これにより、画像ムラが発生することがなく、画像走査作業が高精度かつ効率的に遂行可能になる。
【図面の簡単な説明】
【図１】本発明の第１の実施形態に係る走査装置を組み込む画像情報読取装置の概略構成説明図である。
【図２】前記画像情報読取装置を構成する読み取り部の説明図である。
【図３】前記読み取り部の斜視説明図である。
【図４】前記読み取り部で蓄積性蛍光体シートの読み取り作業を開始する際の説明図である。
【図５】前記蓄積性蛍光体シートを第１および第２可動型ガイド手段で保持する際の動作説明図である。
【図６】前記蓄積性蛍光体シートが前記第１可動型ガイド手段から離脱する際の動作説明図である。
【図７】本発明の第２の実施形態に係る走査装置である読み取り部の斜視説明図である。
【図８】本発明の第３の実施形態に係る読取装置である読み取り部の概略構成説明図である。
【図９】従来技術に係る読み取り部の概略構成説明図である。
【符号の説明】
１０…画像情報読取装置            １２…装置本体
１４…カセッテ                    １６…カセッテ装填部
１８、９０、１００…読み取り部    ２０…消去部
２８…枚葉手段                    ３０…搬送部
３６、１０２…副走査搬送手段      ３８…レーザ光照射手段
４０…読み取り手段                ４２…固定型ガイド手段
４４、４６、９２、９４…可動型ガイド手段
５０…集光ガイド                  ５６、５８…ローラ対
Ｓ…蓄積性蛍光体シート
【図１】
0003947645.tif 000002
【図２】
0003947645.tif 000003
【図３】
0003947645.tif 000004
【図４】
0003947645.tif 000005
【図５】
0003947645.tif 000006
【図６】
0003947645.tif 000007
【図７】
0003947645.tif 000008
【図８】
0003947645.tif 000009
【図９】
0003947645.tif 000010